(57)【要約】      （修正有）【課題】居住者による駐車場の空き状況の確認を容易として車両の入庫又は出庫の管理を確実性なものとし、効率的な利用を図るとともに、来訪者による車両の入庫又は出庫の利便性を高める。【解決手段】居室親機１ａ、１ｂ、１ｃ、・・・の親機操作部１００でのゲート開閉操作をトリガとして、ゲート開閉機４の制御によりゲート２を開ける。また、ゲート開閉機にて生成・記憶される暗証番号を居室親機の表示部１０４に表示させ、開閉機操作部４０３での暗証番号の入力操作をトリガとしてゲートを開ける。また、住戸毎で駐車場に入庫できる車両の台数をゲート開閉機に設定・記憶し、この台数値より多い数の車両を駐車場に入庫しようとした場合、入庫不可のメッセージを居室親機の報知部１０２、１０４にて報知する。【選択図】図１
2010154029.tif 000002
【特許請求の範囲】
【請求項１】
集合住宅の各住戸に設置される居室親機（１ａ、１ｂ、１ｃ、・・・）と、駐車場へと車両を入庫させる又は駐車場から車両を出庫させる際に開閉されるゲート（２）と、駐車場の前記ゲート付近に設置される集合玄関機（３）と、前記ゲートの開閉を行うためのゲート開閉機（４）と、前記居室親機、前記集合玄関機及び前記ゲート開閉機をそれぞれ制御するための制御機（５）とを備え、
前記居室親機には、前記ゲートの開閉を指示するための開閉操作を行う親機操作部（１００）と、前記親機操作部による開閉操作を検出して前記ゲートを開閉させるためのゲート開閉信号を生成し、前記ゲート開閉機に送出するための親機ＣＰＵ（１０５）とを備えることを特徴とする集合住宅インターホンシステム。
【請求項２】
前記ゲート開閉機には、前記居室親機の親機ＣＰＵからのゲート開閉信号を受信し、前記ゲートの開閉を許可する暗証番号を生成するための開閉機ＣＰＵ（４０６）と、前記開閉機ＣＰＵにて生成された暗証番号を記憶するための暗証番号記憶部（４００）と、前記暗証番号の入力操作を行うための開閉機操作部（４０３）とを備え、
前記居室親機には、前記ゲート開閉機の前記開閉機ＣＰＵからの暗証番号を受信した前記親機ＣＰＵにより制御され、当該暗証番号を表示するための親機表示部（１０４）を備え、
前記ゲート開閉機の開閉機ＣＰＵは、前記居室親機の親機表示部に表示され前記開閉機操作部にて入力される暗証番号と前記暗証番号記憶部に記憶された暗証番号との一致を検出して前記ゲートの開閉制御を行うことを特徴とする請求項１記載の集合住宅インターホンシステム。
【請求項３】
前記ゲート開閉機には、前記駐車場に駐車されている車両の台数値を前記住戸毎に記憶するための住戸駐車台数記憶部（４０１）を備え、
前記ゲート開閉機の開閉機ＣＰＵは、前記居室親機の親機ＣＰＵからのゲート開閉信号を受信したときに前記住戸駐車台数記憶部の台数値を「１」増加し、前記開閉機操作部による前記暗証番号の入力を検出したときに前記住戸駐車台数記憶部の台数値を「１」減少し、前記台数値が住戸毎に予め定められた値以上になったときに前記ゲートの開閉制御を停止させるとともに入庫不可信号を生成する機能を備え、
前記居室親機には、前記ゲート開閉機の開閉機ＣＰＵからの入庫不可信号を受信した前記親機ＣＰＵにより制御され、入庫不可メッセージを音響出力・表示するための報知部（１０２、１０４）を備えることを特徴とする請求項２記載の集合住宅インターホンシステム。
【請求項４】
前記ゲート開閉機には、前記駐車場に駐車されている車両の台数値を前記住戸毎に記憶するための住戸駐車台数記憶部（４０１）と、前記駐車場に駐車されている全車両の台数値を記憶するための全駐車台数記憶部（４０２）とを備え、
前記ゲート開閉機の開閉機ＣＰＵは、前記居室親機の親機ＣＰＵからのゲート開閉信号を受信したときに前記住戸駐車台数記憶部及び前記全駐車台数記憶部の各台数値を「１」増加し、前記開閉機操作部による前記暗証番号の入力を検出したときに前記住戸駐車台数記憶部及び前記全駐車台数記憶部の各台数値を「１」減少し、前記各台数値が予め定められた値以上になったときに警報信号を生成する機能を備え、
前記居室親機には、前記ゲート開閉機の開閉機ＣＰＵからのを警報信号を受信した前記親機ＣＰＵにより制御され、警報メッセージを音響出力・表示するための報知部（１０２、１０４）を備えることを特徴とする請求項２記載の集合住宅インターホンシステム。
【発明の詳細な説明】
【技術分野】
【０００１】
本発明は、マンション等の集合住宅に設置される集合住宅インターホンシステムに係り、特に、駐車場への車両の入庫又は駐車場からの車両の出庫を管理できる集合住宅インターホンシステムに関する。
【背景技術】
【０００２】
従来から、この種の集合住宅インターホンシステムとして、ＩＤコードが割り当てられた住戸毎の居住者が駐車場へと車両を入庫させるにあたり、ゲートを開くための有効な操作を集合玄関機にて行い、ＩＤコードが割り当てられていない部外者による駐車場への車両の入庫を的確に防止することができる集合住宅インターホンシステムが提案されている（例えば、特許文献１を参照。）。
【０００３】
【特許文献１】特開２００５−２１０４８１号公報
【発明の開示】
【発明が解決しようとする課題】
【０００４】
背景技術に記載された特許文献１の集合住宅インターホンシステムによれば、居住者が暗証番号の入力やキー操作等を行うことにより、駐車場のゲートを開け、車両を入庫又は出庫させることができる。しかしながら、防犯上の問題から暗証番号を知り得ない、或いはゲートを開けるための所定の鍵を所持していない来訪者にとっては、駐車場へと車両を入庫させることができなかった。
【０００５】
本発明は、この難点を解消するためになされたもので、居住者による駐車場の空き状況の確認を容易として車両の入庫又は出庫の管理を確実性なものとし、効率的な利用を図るとともに、来訪者による車両の入庫又は出庫の利便性を高めた集合住宅インターホンシステムを提供することを目的としている。
【課題を解決するための手段】
【０００６】
前述の目的を達成するため、本発明の第１の態様である集合住宅インターホンシステムは、集合住宅の各住戸に設置される居室親機と、駐車場へと車両を入庫させる又は駐車場から車両を出庫させる際に開閉されるゲートと、駐車場のゲート付近に設置される集合玄関機と、ゲートの開閉を行うためのゲート開閉機と、居室親機、集合玄関機及びゲート開閉機をそれぞれ制御するための制御機とを備えている。居室親機には、ゲートの開閉を指示するための開閉操作を行う親機操作と、親機操作部による開閉操作を検出してゲートを開閉させるためのゲート開閉信号を生成し、ゲート開閉機に送出するための親機ＣＰＵとを備えている。
【０００７】
この集合住宅インターホンシステムによれば、駐車場のゲート付近に設置されている集合玄関機から呼び出された居室親機でのゲート開閉操作がトリガとなって、ゲート開閉機の制御によりゲートが開くため、防犯上の問題から暗証番号を知り得ない、或いはゲートを開けるための所定の鍵を所持していない来訪者であっても、駐車場への車両の入庫を容易に行うことができ利便性が高められる。
【０００８】
また、本発明の第２の態様である集合住宅インターホンシステムは、本発明の第１の態様において、ゲート開閉機には、居室親機の親機ＣＰＵからのゲート開閉信号を受信し、ゲートの開閉を許可する暗証番号を生成するための開閉機ＣＰＵと、開閉機ＣＰＵにて生成された暗証番号を記憶するための暗証番号記憶部と、暗証番号の入力操作を行うための開閉機操作部とを備えている。居室親機には、ゲート開閉機の開閉機ＣＰＵからの暗証番号を受信した親機ＣＰＵにより制御され、当該暗証番号を表示するための親機表示部を備えている。ゲート開閉機の開閉機ＣＰＵは、居室親機の親機表示部に表示され開閉機操作部にて入力される暗証番号と暗証番号記憶部に記憶された暗証番号との一致を検出してゲートの開閉制御を行うものである。
【０００９】
この集合住宅インターホンシステムによれば、ゲート開閉操作が行われた居室親機には、ゲート開閉機にて生成・記憶される暗証番号が表示されるため、これを確認した来訪者によれば、防犯上の問題から暗証番号を予め知り得ていない場合であっても、確認した暗証番号の入力操作がトリガとなってゲートが開くため、駐車場からの車両の出庫を容易に行うことができ利便性が高められる。
【００１０】
また、本発明の第３の態様である集合住宅インターホンシステムは、本発明の第２の態様において、ゲート開閉機には、駐車場に駐車されている車両の台数値を住戸毎に記憶するための住戸駐車台数記憶部を備えている。ゲート開閉機の開閉機ＣＰＵは、居室親機の親機ＣＰＵからのゲート開閉信号を受信したときに住戸駐車台数記憶部の台数値を「１」増加し、開閉機操作部による暗証番号の入力を検出したときに住戸駐車台数記憶部の台数値を「１」減少し、台数値が住戸毎に予め定められた値以上になったときにゲートの開閉制御を停止させるとともに入庫不可信号を生成する機能を備えている。居室親機には、ゲート開閉機の開閉機ＣＰＵからの入庫不可信号を受信した親機ＣＰＵにより制御され、入庫不可メッセージを音響出力・表示するための報知部を備えている。
【００１１】
この集合住宅インターホンシステムによれば、住戸毎で駐車場に入庫できる車両の台数を設定し、その台数値をゲート開閉機に記憶することにより、設定された台数値より多い数の車両を駐車場に入庫しようとした場合、入庫不可のメッセージを居室親機にて報知することができ、それ以上の入庫が抑えられて駐車場の効率的な管理・利用が可能となる。
【００１２】
また、本発明の第４の態様である集合住宅インターホンシステムは、本発明の第２の態様において、ゲート開閉機には、駐車場に駐車されている車両の台数値を住戸毎に記憶するための住戸駐車台数記憶部と、駐車場に駐車されている全車両の台数値を記憶するための全駐車台数記憶部とを備えている。ゲート開閉機の開閉機ＣＰＵは、居室親機の親機ＣＰＵからのゲート開閉信号を受信したときに住戸駐車台数記憶部及び全駐車台数記憶部の各台数値を「１」増加し、開閉機操作部による暗証番号の入力を検出したときに住戸駐車台数記憶部及び全駐車台数記憶部の各台数値を「１」減少し、各台数値が予め定められた値以上になったときに警報信号を生成する機能を備えている。居室親機には、ゲート開閉機の開閉機ＣＰＵからのを警報信号を受信した親機ＣＰＵにより制御され、警報メッセージを音響出力・表示するための報知部を備えている。
【００１３】
この集合住宅インターホンシステムによれば、住戸毎に駐車場に入庫できる車の台数、駐車場に入庫できる全車両の台数をそれぞれ設定し、それら各台数値をゲート開閉機に記憶することにより、全車両の台数が所定値を超え、さらには、住戸毎の車両の台数が所定値を超えた場合、当該車両の台数が超えた住戸の居室親機にて警報発報を行うことができ、車両の出庫を促すことで駐車場の効率的な管理・利用が可能となる。
【発明の効果】
【００１４】
本発明の集合住宅インターホンシステムによれば、防犯上の問題から暗証番号を知り得ない、或いはゲートを開けるための所定の鍵を所持していない来訪者であっても、駐車場への車両の入庫又は車両の出庫を容易に行うことができ利便性が高められるばかりでなく、駐車場の効率的な管理・利用が可能となる。
【発明を実施するための最良の形態】
【００１５】
以下、本発明の集合住宅インターホンシステムを適用した最良の実施の形態例について、図面を参照して説明する。
【００１６】
図１は、本発明の実施例による集合住宅インターホンシステムの具体的な構成を示すブロック図である。この集合住宅インターホンシステムは、マンション等の集合住宅において、各住戸に設置され住戸毎の居室番号（詳述せず。）が割り当てられた（複数の）居室親機１ａ、１ｂ、１ｃ、・・・と、駐車場へと車両を入庫させる又は駐車場から車両を出庫させる際に開閉されるゲート２と、駐車場のゲート２付近に設置される集合玄関機３と、駐車場へと車両を入庫させる又は駐車場から車両を出庫させる際にゲート２の開閉を行うためのゲート開閉機４と、親機ラインＬ1を介して接続、ここでは、バス接続された居室親機１ａ、１ｂ、１ｃ、・・・、玄関機ラインＬ2を介して接続された集合玄関機２及び開閉機ラインＬ3を介して接続されたゲート開閉機４をそれぞれ制御するための制御機５とを備えている。
【００１７】
次に、前述の構成各部について詳述するにあたり、集合玄関機３には、玄関機操作部３００、玄関機表示部３０１、玄関機マイク３０２、玄関機スピーカ３０３、玄関機音声処理部３０４、玄関機ＣＰＵ３０５及び玄関機インターフェース（以下、Ｉ／Ｆという。）３０６が備えられている。
【００１８】
この集合玄関機３において、玄関機操作部３００は、玄関機ＣＰＵ３０５によって操作検出され、来訪者が居住者を呼び出すにあたり、呼出先の住戸に割り当てられている居室番号を入力するような所定の呼出操作を行うものであって、例えば、テンキーボタン及び呼出ボタン等の各種の押圧ボタンや、玄関機表示部３０１の前面に配置されるタッチパネル上の操作ボタンで構成されている。
【００１９】
玄関機表示部３０１は、玄関機ＣＰＵ３０５によって制御され、玄関機操作部３００の操作情報を表示するためのものであり、例えば、ＬＣＤ、ＰＤＰ、有機ＥＬディスプレイ等の各種の表示媒体で構成されている。
【００２０】
玄関機マイク３０２及び玄関機スピーカ３０３は、来訪者が呼び出した居住者との間で通話を成立させるための音声（送話音声、受話音声）信号を入出力するものである。
【００２１】
玄関機音声処理部３０４は、玄関機ＣＰＵ３０５によって制御され、玄関機マイク３０２及び玄関機スピーカ３０３にて入出力される音声信号について所定の信号処理を行う例えば、４線／２線変換、２線／４線変換及び増幅を行うためのものである。
【００２２】
玄関機ＣＰＵ３０５は、集合玄関機３の構成各部を制御するためのものである。また、玄関機Ｉ／Ｆ３０６は、玄関機音声処理部３０４及び玄関機ラインＬ2の間の信号伝送路と、玄関機ＣＰＵ３０５及び玄関機ラインＬ2の間の信号伝送路とをそれぞれ形成するためのものである。
【００２３】
また、居室親機１ａ、１ｂ、１ｃ、・・・はそれぞれ同様な構成であり、親機操作部１００、親機マイク１０１、親機スピーカ１０２、親機音声処理部１０３、親機表示部１０４、親機ＣＰＵ１０５及び親機Ｉ／Ｆ１０６が備えられている。
【００２４】
この居室親機１ａ、１ｂ、１ｃ、・・・において、親機操作部１００は、親機ＣＰＵ１０５によって操作検出され、来訪者による集合玄関機３からの呼び出しに居住者が応答して通話を成立させるための所定の応答操作及び成立中の通話を終了させるための所定の応答操作を行うとともに、ゲート２を開閉させるための所定のゲート開閉操作を行うものであり、例えば、通話ボタン、テンキーボタン、開閉（許可）ボタン等の各種の押圧ボタンや、親機表示部１０４の前面に配置されるタッチパネル上の操作ボタンで構成されている。
【００２５】
親機マイク１０１及び親機スピーカ１０２は、居住者が来訪者との間で通話を成立させるための音声（送話音声、受話音声）信号を入出力するものである。また、親機スピーカ１０２は、前述の通話機能のみならず、親機ＣＰＵ１０５の制御によって、来訪者からの呼び出しがある旨の呼出発報を行うこともでき、さらには、駐車場への車両の入庫を許可するための入庫許可メッセージ、駐車場への車両の入庫を不可とするメッセージ又は駐車場からの車両の出庫を促すための警報メッセージを出力（音響出力）することができる。
【００２６】
親機音声処理部１０３は、親機ＣＰＵ１０５によって制御され、親機マイク１０１及び親機スピーカ１０２にて入出力される音声信号について所定の信号処理を行う例えば、４線／２線変換、２線／４線変換及び増幅を行うためのものである。
【００２７】
親機表示部１０４は、親機ＣＰＵ１０５によって制御され、来訪者からの呼び出しがある旨の呼出表示を行うとともに、ゲート２の開閉を許可する暗証番号を表示し、さらには、駐車場への車両の入庫を許可するための入庫許可メッセージ、駐車場への車両の入庫を不可とするメッセージ又は駐車場からの車両の出庫を促すための警報メッセージを表示するものであり、例えば、ＬＣＤ、ＰＤＰ、有機ＥＬディスプレイ等の各種の表示媒体で構成されている。
【００２８】
親機ＣＰＵ１０５は、居室親機１ａ、１ｂ、１ｃ、・・・の構成各部を制御するためのものである。また、親機Ｉ／Ｆ１０６は、親機音声処理部１０３及び親機ラインＬ1の間の信号伝送路と、親機ＣＰＵ１０５及び親機ラインＬ1の間の信号伝送路とをそれぞれ形成するためのものである。
【００２９】
さらに、ゲート開閉機４には、暗証番号記憶部４００、住戸駐車台数記憶部４０１、全駐車台数記憶部４０２、開閉機操作部４０３、開閉機表示部４０４、ゲート駆動部４０５、開閉機ＣＰＵ４０６及び開閉機Ｉ／Ｆ４０７が備えられている。
【００３０】
このゲート開閉機４において、暗証番号記憶部４００は、ゲート２の開閉を許可する暗証番号を記憶するためのものである。また、住戸駐車台数記憶部４０１は、駐車場に駐車されている車両の台数値を住戸毎に記憶するためのものである。さらに、全駐車台数記憶部４０２は、駐車場に駐車されている全車両の台数値を記憶するためのである。なお、これらの記憶部４００、４０１、４０２は、開閉機ＣＰＵ４０６によって制御され、例えば、ＲＡＭ、ＥＥＰＲＯＭ等の各種の記憶媒体で構成されている。
【００３１】
開閉機操作部４０３は、開閉機ＣＰＵ４０６によって操作検出され、居室親機１ａ、１ｂ、１ｃ、・・・の親機表示部１０４に表示され自機の暗証番号記憶部４００に記憶されている暗証番号を入力するための所定の入力操作を行うものであり、例えば、テンキーボタン及び確定ボタン等の各種の押圧ボタンや、開閉機表示部４０４の前面に配置されるタッチパネル上の操作ボタンで構成されている。
【００３２】
開閉機表示部４０４は、開閉機ＣＰＵ４０６によって制御され、開閉機操作部４０３の操作情報を表示するためのものであり、例えば、ＬＣＤ、ＰＤＰ、有機ＥＬディスプレイ等の各種の表示媒体で構成されている。
【００３３】
ゲート駆動部４０５は、開閉器ＣＰＵ４０６によって制御され、ゲート２を開閉させるためのものである。また、開閉機ＣＰＵ４０６は、ゲート開閉機４の構成各部を制御するためのものである。さらに、開閉機Ｉ／Ｆ４０７は、開閉機ＣＰＵ４０６及び開閉機ラインＬ3の間の信号伝送路を形成するためのものである。
【００３４】
このように構成された本発明の実施例による集合住宅インターホンシステムにおいて、以下、具体的な動作について説明する。
【００３５】
図１のブロック図に示す当該システムが設けられているマンション等の集合住宅内の居住者、ここでは、居室親機１ａが設置された住戸内に在室中の居住者を呼び出すにあたって、自己の車両を使用してゲート２付近に到着した来訪者は、呼出先の住戸に割り当てられている居室番号を集合玄関機３の玄関機操作部３００を使用して入力するような所定の呼出操作を行うことができる。この操作を検出した玄関機ＣＰＵ３０５は、前述の居室番号を付加した呼出信号を生成し、玄関機Ｉ／Ｆ３０６、玄関機ラインＬ2、制御機５、親機ラインＬ1、居室親機１ａ、１ｂ、１ｃ、・・・の親機Ｉ／Ｆ１０６を介して親機ＣＰＵ１０５に送出する。
【００３６】
ここで、居室親機１ａ、１ｂ、１ｃ、・・・の親機ＣＰＵ１０５のうち、集合玄関機３からの呼出信号に付加された居室番号と自親機に割り当てられている居室番号との一致を検出する居室親機１ａの親機ＣＰＵ１０５は、来訪者による集合玄関機３からの呼び出しがある旨の呼出発報を、親機スピーカ１０２からの音響出力及び親機表示部１０４の使用による呼出表示で行うことができる。
【００３７】
なお、居室親機１ａが設置された住戸内に在室中の居住者は、前述の呼出報知を確認した後、親機操作部１００を使用して所定の応答操作を行うと、この操作を検出した親機ＣＰＵ１０５（及び制御機５、集合玄関機３の玄関機ＣＰＵ３０５）の制御によって、居住者が使用する親機マイク１０１及び親機スピーカ１０２と、親機音声処理部１０３、親機Ｉ／Ｆ１０６、親機ラインＬ1、制御機５、玄関機ラインＬ2、集合玄関機３の玄関機Ｉ／Ｆ３０６、玄関機音声処理部３０４を介して来訪者が使用する玄関機マイク３０２及び玄関機スピーカ３０３との間の信号伝送路、すなわち、通話路が形成され、音声信号を送受信させることで通話が成立する。
【００３８】
次に、前述の呼出報知を確認した居住者又は通話が成立中の居住者は、来訪者の車両を駐車場に入庫させるにあたり、居室親機１ａの親機操作部１００を使用して所定のゲート開閉操作を行うことができる。この操作を検出した親機ＣＰＵ１０５は、自親機に割り当てられている居室番号を付加したゲート開閉信号を生成し、親機Ｉ／Ｆ１０６、親機ラインＬ1、制御機５、開閉機ラインＬ3、ゲート開閉機４の開閉機Ｉ／Ｆ４０７を介して開閉機ＣＰＵ４０６に送出する。
【００３９】
ゲート開閉機４の開閉機ＣＰＵ４０６は、受信したゲート開閉信号に付加されている居室番号をもとに、居室親機１ａが設置された住戸内に在室中の居住者によるゲート開閉操作が行われたことを検出するとともに、この居室番号に割りあてて住戸駐車台数記憶部４０１に記憶されている現在の台数値（以下、住戸別駐車台数値という。）を検出し、さらには、全駐車台数記憶部４０２に記憶されている現在の台数値（以下、全駐車台数値という。）を検出することができる。
【００４０】
この後、ゲート開閉機４の開閉機ＣＰＵ４０６による第１の動作として、居室親機１ａが設置された住戸の居室番号に割り当てて住戸駐車台数記憶部４０１に記憶されている現在の住戸別駐車台数値が「２台」であり、駐車を許可する台数値（以下、住戸別駐車許可台数値という。）が「３台」であって、さらには、全駐車台数記憶部４０２に記憶されている現在の全駐車台数値が「９台」であり、駐車の閾値を示す全台数値（以下、全駐車台数閾値という。）が「１０台」であった場合、前述のように居室親機１ａからのゲート開閉信号を検出した開閉機ＣＰＵ４０６は、住戸駐車台数記憶部４０１に記憶される住戸別駐車台数値を「１」増加させ「３台」とするとともに、全駐車台数記憶部４０２に記憶される全駐車台数値を「１」増加させ「１０台」とするような更新処理を行う。
【００４１】
なお、駐車場への駐車を許可する台数値は、集合住宅の規模及び前述の全駐車台数閾値である「１０台」に対応させて可変される数値であり、本実施例においては例えば、「２０台」とし、全駐車台数閾値と比較して大きな数値とされる。
【００４２】
ここで、ゲート開閉機４の開閉機ＣＰＵ４０６は、居室親機１ａが設置された住戸の居室番号に割り当てて住戸駐車台数記憶部４０１に更新された住戸別駐車台数値が「３」であって住戸別駐車許可台数値の範囲内であり、さらには、全駐車台数記憶部４０２に更新された全駐車台数値が「１０」であって全駐車台数閾値の範囲内であることを検出し、ゲート駆動部４０５を制御してゲート２を開けることができ、来訪者にとっては、開かれたゲート２を経由して駐車場への車両の入庫が可能となる。
【００４３】
また、ゲート開閉機４の開閉機ＣＰＵ４０６は、駐車場に入庫された車両を出庫させるにあたり必要とされる暗証番号を生成して暗証番号記憶部４００に記憶するとともに、この暗証番号を付加させた入庫許可信号を生成し、前述のゲート開閉信号と逆の経路を介して居室親機１ａの親機ＣＰＵ１０５に送出することにより、親機ＣＰＵ１０５の制御によって、当該入庫許可信号に付加されている暗証番号が親機表示部１０４に表示されることになる。
【００４４】
すなわち、居室親機１ａが設置された住戸内に在室中の居住者を訪問した来訪者によれば、親機表示部１０４に表示されている暗証番号を、ゲート開閉機４の開閉機表示部４０４の表示内容を確認しながら開閉機操作部４０３を使用して入力することができる。この操作を検出した開閉機ＣＰＵ４０６は、暗証番号記憶部４００に記憶されている暗証番号との一致を検出し、ゲート駆動部４０５を制御してゲート２を開けることができ、来訪者にとっては、駐車場に入庫されている自己の車両を出庫させることができる。
【００４５】
その後、ゲート開閉機４の開閉機ＣＰＵ４０６は、居室親機１ａが設置された住戸の居室番号に割り当てて住戸駐車台数記憶部４０１に記憶されている現在の住戸別駐車台数値を「１」減少させ「２台」とするとともに、全駐車台数記憶部４０２に記憶される全駐車台数値を「１」減少させ「９台」とするような更新処理を行う。
【００４６】
次に、ゲート開閉機４の開閉機ＣＰＵ４０６による第２の動作として、居室親機１ａが設置された住戸の居室番号に割り当てて住戸駐車台数記憶部４０１に記憶されている現在の住戸別駐車台数値が「３台」であり、住戸別駐車許可台数値が「３台」であって、さらには、全駐車台数記憶部４０２に記憶されている現在の全駐車台数値が「９台」であり、全駐車台数閾値が「１０台」であった場合、前述のように居室親機１ａからのゲート開閉信号を検出した開閉機ＣＰＵ４０６は、住戸駐車台数記憶部４０１に記憶される住戸別駐車台数値を「１」増加させ「４台」とするとともに、全駐車台数記憶部４０２に記憶される全駐車台数値を「１」増加させ「１０台」とするような更新処理を行う。
【００４７】
ここで、ゲート開閉機４の開閉機ＣＰＵ４０６は、居室親機１ａが設置された住戸の居室番号に割り当てて住戸駐車台数記憶部４０１に更新された住戸別駐車台数値が「４」であって住戸別駐車許可台数値の範囲を超えている一方、全駐車台数記憶部４０２に更新された全駐車台数値が「１０」であって全駐車台数閾値の範囲内であることを検出し、ゲート２を閉じたまま保持するとともに、駐車場への車両の入庫を不可とするための入庫不可信号を生成し、前述の入庫許可信号と同一の信号伝送路を介して居室親機１ａの親機ＣＰＵ１０５に送出することにより、親機ＣＰＵ１０５の制御によって、駐車場への入庫が不可である旨の例えば、「入庫できません」のような入庫不可メッセージを、親機スピーカ１０２からの音響出力及び親機表示部１０４における警報表示で報知することができ、ゆえに、駐車場からの車両の出庫が促される。
【００４８】
次に、ゲート開閉機４の開閉機ＣＰＵ４０６による第３の動作として、居室親機１ａが設置された住戸の居室番号に割り当てて住戸駐車台数記憶部４０１に記憶されている現在の住戸別駐車台数値が「４台」であり、住戸別駐車許可台数値が「３台」、すなわち、出庫されずに過剰な台数の車両が駐車場に予め駐車されている状態であって、また、全駐車台数記憶部４０２に記憶されている現在の全駐車台数値が「１０台」であり、全駐車台数閾値が「１０台」であって、さらには、他の住戸の居室番号、ここでは、居室親機１ｂが設置された住戸の居室番号に割り当てて住戸駐車台数記憶部４０１に記憶されている現在の住戸別駐車台数値が「１台」であり、住戸別駐車許可台数値が「２台」であった場合、前述の居室親機１ａからのゲート開閉信号と同様、居室親機１ｂの親機ＣＰＵ１０５にて生成されるゲート開閉信号を検出した開閉機ＣＰＵ４０６は、居室親機１ｂが設置された住戸の居室番号に割り当てて住戸駐車台数記憶部４０１に記憶される現在の住戸別駐車台数値を「１」増加させ「２台」とするとともに、全駐車台数記憶部４０２に記憶される全駐車台数値を「１」増加させ「１１台」とするような更新処理を行う。
【００４９】
ここで、ゲート開閉機４の開閉機ＣＰＵ４０６は、居室親機１ｂが設置された住戸の居室番号に割り当てて住戸駐車台数記憶部４０１に更新された住戸別駐車台数値が「２」であって住戸別駐車許可台数値の範囲内である一方、全駐車台数記憶部４０２に更新された全駐車台数値が「１１」であって全駐車台数閾値の範囲を超えるばかりでなく、同様に、居室親機１ａが設置された住戸の居室番号に割り当てて住戸駐車台数記憶部４０１に記憶されている住戸別駐車台数値が「４」であって住戸別駐車許可台数値の範囲を超えていることを検出し、ゲート２を閉じたまま保持するとともに、前述のように出庫されずに過剰な台数の車両が駐車場に予め駐車されている居室親機１ａに対して当該車両の出庫を促すための警報信号を生成し、前述の入庫許可信号及び入庫不可信号と同一の信号伝送路を介して居室親機１ａの親機ＣＰＵ１０５に送出することにより、親機ＣＰＵ１０５の制御によって、駐車場からの車両の出庫を促す旨の例えば、「車両を出庫してください」のような警報メッセージを、親機スピーカ１０２からの音響出力及び親機表示部１０４における警報表示で報知することができる。
【００５０】
居室親機１ａが設置された住戸内に在室中の居住者を訪問した来訪者（又は当該居住者）によれば、前述の第１の動作と同様、駐車場への車両の入庫時において表示部１０４に表示されていた暗証番号を、ゲート開閉機４の開閉機表示部４０４の表示内容を確認しながら開閉機操作部４０３を使用して入力することができる。この操作を検出した開閉機ＣＰＵ４０６は、暗証番号記憶部４００に記憶されている暗証番号との一致を検出し、ゲート駆動部４０５を制御してゲート２を開けることにより、駐車場に過剰な台数で駐車されている車両を出庫させることができる。
【００５１】
その後、ゲート開閉機４の開閉機ＣＰＵ４０６は、居室親機１ａが設置された住戸の居室番号に割り当てて住戸駐車台数記憶部４０１に記憶されている現在の住戸別駐車台数値を「１」減少させ「３台」とするとともに、全駐車台数記憶部４０２に記憶される全駐車台数値を「１」減少させ「１０台」とするような更新処理を行う。
【００５２】
前述までの説明から明らかなように、本発明の集合住宅インターホンシステムによれば、集合住宅の住戸内に在室中の居住者が居室親機１ａ、１ｂ、１ｃ、・・・の親機操作部１００を使用して所定のゲート開閉操作を行うことで、駐車場のゲート２を容易に開閉することができるため、無断駐車の発生が抑制され、来訪者による効率的な駐車場の利用が可能となる。また、ゲート２を開閉させるゲート開閉機４で駐車場の使用状況を容易に把握できるため、効率的な駐車場の管理・利用が可能となる。
【００５３】
本発明の集合住宅インターホンシステムにおいては、特定の実施の形態をもって説明してきたが、この形態に限定されるものでなく、本発明の効果を奏する限り、これまで知られた如何なる構成の当該装置であっても採用できるということはいうまでもないことである。例えば、居室親機１ａ、１ｂ、１ｃ、・・・、集合玄関機２及びゲート開閉機４と同様に制御機５によって制御される機器として、管理室親機を有する当該システムを適用することもできる。
【図面の簡単な説明】
【００５４】
【図１】本発明の実施例による集合住宅インターホンシステムの具体的な構成を示すブロック図。
【符号の説明】
【００５５】
１ａ、１ｂ、１ｃ、・・・……居室親機
１００……親機操作部
１０２……親機スピーカ（報知部）
１０４……親機表示部（報知部）
１０５……親機ＣＰＵ
２……ゲート
３……集合玄関機
４……ゲート開閉機
４００……暗証番号記憶部
４０１……住戸駐車台数記憶部
４０２……全駐車台数記憶部
４０３……開閉機操作部
５……制御機
【図１】
2010154029.tif 000003